(57)【要約】【課題】  開閉機器の制御回路が接続状態のときに、運転位置や引出位置などの間での開閉機器本体の引出及び挿入操作ができる機能を提供するＢ方式のインターロック機構を、多用されるＡ方式のインターロック機構に付加して容易に提供するインターロック装置を、制御回路の接続状態やその接続のロック状態の検出を行うための専用の接続プラグや鎖錠ピンの駆動機構を不要として、従来の装置に比べて簡易な機構により実現する。【解決手段】  制御回路の接続プラグ４０が開閉機器本体である電磁接触器本体１０に接続されたとき、電磁接触器本体１０の挿入を妨げていた、電磁接触器本体１０を収納する固定枠２０とスライド板５０との当接が解除されるように構成して、単純なスライド板５０や回転板７０等を適用できる移動部材及び回転部材の移動及び回転を組み合わせて、Ｂ方式のインターロック機構を構成した。【選択図】          図１
2006079839.tif 000002
【特許請求の範囲】
【請求項１】
開閉機器本体の制御回路との接続プラグに隣接して、移動基準位置と開口位置と接続固定位置との間で移動可能に上記開閉機器本体に取り付けられ、上記移動基準位置では上記開閉機器本体の接続方向への挿入及び制御回路の接続プラグの開閉機器本体への接続を妨げ、また上記開口位置では上記接続プラグの上記開閉機器本体への接続の妨げを解除し、また上記接続固定位置では上記接続プラグの上記開閉機器本体からの引き外しを妨げる一方、上記開閉機器本体に上記接続プラグが接続されていれば、上記接続固定位置から上記移動基準位置への移動が妨げられる移動部材、
及び上記移動部材に隣接して上記開閉機器本体に回転可能に取り付けられ、回転基準位置では上記移動部材の上記移動基準位置又は上記接続固定位置から上記開口位置への移動を妨げ、また回転位置では上記開閉機器本体の接続方向への挿入を妨げ、上記開閉機器本体が挿入状態にあるときは上記回転基準位置に固定される回転部材を備えたことを特徴とする引出形開閉機器のインターロック装置。
【請求項２】
開口位置又は接続固定位置にある移動部材に移動基準位置に引き戻す力を加える第１の弾性体を備えたことを特徴とする請求項１に記載の引出形開閉機器のインターロック装置。
【請求項３】
回転位置にある回転部材に回転基準位置に引き戻す力を加える第２の弾性体を備えたことを特徴とする請求項１又は２のいずれかに記載の引出形開閉機器のインターロック装置。
【請求項４】
移動部材による開閉機器本体の接続方向への挿入の妨げは、上記移動部材が上記開閉機器本体の固定枠と当接することによることを特徴とする請求項１から３のいずれかに記載の引出形開閉機器のインターロック装置。
【請求項５】
回転部材による開閉機器本体の接続方向への挿入の妨げ及び上記開閉機器本体が挿入状態にあるときの上記回転部材の固定は、上記回転部材が上記開閉機器本体の固定枠と当接することによることを特徴とする請求項１から４のいずれかに記載の引出形開閉機器のインターロック装置。
【発明の詳細な説明】
【技術分野】
【０００１】
この発明は、引出形電磁接触器などの引出形開閉機器の制御回路のインターロック装置に関するものである。
【背景技術】
【０００２】
移動形の開閉機器である電磁接触器や遮断器等においては、操作の安全のために必ずインターロック装置が設けられている。このインターロック装置は、Ａ方式と呼ばれる以下の基本機能を必ず備えている。（１）運転位置や引出位置などの間での開閉機器本体の引出及び挿入操作は、その開閉機器本体が「開」のときに限り可能であること。（２）開閉機器の開閉は、その機器が運転位置、断路位置、引出位置、試験位置又は接地位置にあるときに限り可能であること。（３）開閉機器はその機器が制御回路に接続しているときに限り「閉」可能であること。
そして、上記Ａ方式の機能に加えて、Ｂ方式と呼ばれる、開閉機器の制御回路が接続状態のときに、開閉機器本体の引出及び挿入操作ができる機能が要求される場合がある。
このＢ方式の機能を提供するインターロック装置は、Ａ方式及びＢ方式の両方の機能を備えたインターロック装置を構成するほか、多用されているＡ方式のインターロック機構に付加するものとして構成され、例えば、引出形遮断器への制御回路の接続プラグの接続状態を検出する接続検出手段と、引出形遮断器への制御回路の接続プラグの接続状態をロックするロック手段と、そのロック手段のロック状態を検出するロック検出手段と、配電盤上の所定位置に設けられた固定部材と係合することにより引出形遮断器の移動を阻止する移動阻止手段と、接続検出手段の接続検出及びロック検出手段のロック検出の両方があったときに移動阻止手段の固定部材との係合を解除する解除手段とを引出形遮断器に備えることで、引出形遮断器に制御回路の接続プラグが接続され、その接続がロックされたときに引出形遮断器の移動を可能とするように構成されていた。（例えば特許文献１参照）
【０００３】
【特許文献１】特公平７−１１８２４８号公報（第２及び３頁、第１図）
【発明の開示】
【発明が解決しようとする課題】
【０００４】
多用されているＡ方式のインターロック機構にＢ方式のインターロック装置を付加する方式は、容易にＢ方式のインターロック機能を提供することができるが、従来のＢ方式のインターロック装置は、制御回路の接続状態を検出するための駆動ピンを内蔵した専用の接続プラグや、その接続のロック検出手段に用いられるプッシュプルケーブル等による鎖錠ピンの駆動機構を必要としていた。しかし、専用の接続プラグや鎖錠ピンの駆動機構は高価で形状が大きく構造も複雑であるため、引出形開閉機器のインターロック装置として使用するには高価であり、また開閉機器の寸法、形状が大きくなるなどの問題があった。
この発明は、上記のような課題を解決するためになされたもので、多用されているＡ方式のインターロック機構に付加して、容易にＢ方式のインターロック機能を提供するインターロック装置を、制御回路の接続状態やその接続のロック状態の検出を行うための専用の接続プラグや鎖錠ピンの駆動機構を不要として、従来の装置に比べて簡易な機構により実現することを目的とする。
【課題を解決するための手段】
【０００５】
この発明の引出形開閉機器のインターロック装置は、開閉機器本体の制御回路との接続プラグに隣接して、移動基準位置と開口位置と接続固定位置との間で移動可能に開閉機器本体に取り付けられ、移動基準位置では開閉機器本体の挿入及び制御回路の接続プラグの開閉機器本体への接続を妨げる移動部材を備え、さらに、この移動部材が開口位置にあるときは、接続プラグの開閉機器本体への接続又は引き外しを可能とし、また接続固定位置にあるときは、接続プラグの開閉機器本体からの引き外しを妨げる一方で、開閉機本体に接続プラグが接続されたときは、この移動部材の接続固定位置から移動基準位置への移動が妨げられるように構成した。
また、移動部材に隣接して開閉機器本体に回転可能に取り付けられ、回転基準位置では移動部材の移動基準位置又は接続固定位置から開口位置への移動を妨げる回転部材を備え、さらに、この回転部材が回転位置にあるときは開閉機器本体の挿入を妨げ、また開閉機器本体が挿入位置にあるときは、この回転部材が回転基準位置に固定されるように構成した。
このように構成したことで、移動基準位置では開閉器本体の挿入を妨げる移動部材を開口位置に移動して、制御回路の接続プラグを開閉機本体に接続したときは、移動部材は移動基準位置に戻らないので、開閉機器本体の挿入が可能となる一方で、開閉機器本体が挿入状態にあるときは、回転部材は回転基準位置に固定されるので、移動部材の開口位置への移動が妨げられて接続プラグの引き外しは抑止される。
【発明の効果】
【０００６】
この発明によれば、制御回路の接続状態及びそのロックを検出することにより、開閉器本体の移動を阻止していた移動阻止手段を駆動して、その固定部材との係合を解除することで開閉器本体の挿入を妨げるインターロックを解除する代わりに、制御プラグの接続プラグの挿入操作に伴って、開閉機器本体の挿入を妨げていた移動部材及び回転部材そのものが移動又は回転することで、開閉器本体の挿入を妨げるインターロックが解除されるように構成することで、制御回路の接続状態やその接続のロック状態を検出するための専用の接続プラグや鎖錠ピンの駆動機構を不要として、単純なスライド板や回転板等を適用できる移動部材及び回転部材の移動及び回転の組合せによりＢ方式のインターロック機構を構成したので、引出形開閉機器の寸法、形状を大きく変更することなくＢ方式のインターロックの機能を持つ小形で安価な開閉機器を供給することが可能となる。
【発明を実施するための最良の形態】
【０００７】
実施の形態１．
図１から図３は、この発明の実施の形態１の引出形開閉機器のインターロック装置を備えた電磁接触器の構成及び動作を示す平面図及び正面図であり、図１は、移動部材が移動基準位置にあって、電磁接触器を操作するための制御回路と電磁接触器の主回路接点に連動して動く補助接点などとを接続する制御回路の接続プラグが、電磁接触器に接続されていない状態、図２は、移動部材を開口位置に移動して、制御回路の接続プラグを電磁接触器に接続する途中の状態、図３は、制御回路の接続プラグの電磁接触器への接続を完了し、移動部材が接続固定位置にある状態、それぞれの電磁接触器のインターロック装置の状態を示している。
【０００８】
図１は電磁接触器が引き出された状態、すなわち引出位置にあり、移動部材が移動基準位置にあって、制御回路の接続プラグが接続されておらず、インターロックにより電磁接触器の挿入、すなわち引出位置から試験位置や運転位置といった接続方向への移動が抑止されているときのインターロック装置の状態を示し、（ａ）はその平面図、（ｂ）はその正面図である。
図において、開閉機器本体である電磁接触器本体１０は、その電磁接触器本体１０を収納する固定枠２０に沿って移動可能な台車３０上に設置されている。
制御回路の接続プラグ４０が、電磁接触器本体１０に設けられた接続プラグ１１に接続されたとき、インターロックが解除されて電磁接触器本体１０の引出及び挿入操作が可能となる。このとき、この引出位置から矢印（Ａ）方向への挿入、すなわち接続方向への押し込みが可能になる。
【０００９】
移動部材であるスライド板５０は、制御回路の接続プラグ４０が電磁接触器本体１０に接続されない状態では、電磁接触器本体１０の挿入を妨げるために設けられた板である。
スライド板５０には、接続プラグ４０を出し入れするためのプラグ挿入穴５１及び接続プラグ４０の側部に当接する当接部５２が設けられており、操作ガード片５３は、スライド板５０を左右に操作するための操作部と接続プラグ４０の引き外し操作を妨げる機能を兼ねるものである。
スライド板５０の長孔５４に係合してガイドピン６１が２本併置して設けられ、スライド板５０はガイドピン６１にガイドされて左右にスライド可能であり、移動基準位置からは操作ガード片５３を左に押すことで、接続固定位置及び開口位置にスライドできる。また、操作ガード片５３が左に押されなくなったときに、スライド板５０を移動基準位置に引き戻す力を加える第１の弾性体であるバネ６２が設けられている。
【００１０】
図１の、接続プラグ４０が挿入されていない状態では、スライド板５０はバネ６２に引かれて移動基準位置にある。この状態においては、スライド板５０の右端の当接部５５が固定枠２０の切欠部２１と当接するため、電磁接触器本体１０の挿入は妨げられる。
また、接続プラグ１１の前面は当接部５２でふさがれており、接続プラグ４０の接続プラグ１１への接続はできないようになっている。
【００１１】
接続プラグ４０を接続プラグ１１に接続するためには、操作ガード片５３を左方に押してスライド板５０を開口位置にスライドし、接続プラグ１１の前面にプラグ挿入穴５１を移動して接続プラグ１１の前面を開放する必要があるが、スライド板５０を移動基準位置から接続固定位置を経由して開口位置に向けてスライドさせようとする途中で、スライド板５０の下部の当接部５６が、回転部材である回転板７０の左側のＬ字状折り曲げ部である当接部７１と当接するので、それ以上スライドさせることができず、スライド板５０の開口位置へのスライドが妨げられている。
回転板７０は、ピン８１により回動可能に支持されており、当接部７１を下方に押し下げればスライド板５０の開口位置にスライドが可能になる。なお、当接部７１が押し下げられなくなったときに、回転板７０を回転基準位置に引き戻す力を加える第２の弾性体であるバネ８２が取り付けられている。
【００１２】
図２は、図１と同じく電磁接触器本体１０が引き出された状態にあり、当接部７１を押し下げ、スライド板５０を左にスライドさせて開口位置に移動して、接続プラグ４０を接続しようとする途中のインターロック装置の状態を示し、（ａ）はその平面図、（ｂ）はその正面図である。
接続プラグ４０をプラグ挿入穴５１に挿入して接続プラグ１１と接続するときは、この図２に示すようにスライド板５０を開口位置にスライドさせて、プラグ挿入穴５１が接続プラグ１１の前面に位置するようにしたあと、接続プラグ４０をプラグ挿入穴５１に挿入して接続プラグ１１と接続する。
なお、接続プラグ４０を接続プラグ１１に接続すると接続がロックされる。このロックを解除するための突起状のロック解除ボタン４１が、接続プラグ４０に設けられている。
【００１３】
また、回転板７０の右側には固定枠２０の切欠部２１と当接する当接部７２が配置されており、当接部７１が押し下げられて回転板７０が反時計方向に回転すれば、当接部７２が上って切欠部２１と当接するようになる。このため、当接部７１を押し下げてスライド板５０を開口位置に移動した図２の状態では、制御回路の接続プラグ４０を電磁接触器本体１０に接続することは可能であるが、電磁接触器本体１０の挿入の抑止は継続している。
【００１４】
図３は、電磁接触器本体１０に制御回路の接続プラグ４０を接続したあと、スライド板５０が接続固定位置にあり、電磁接触器本体１０が挿入可能になった接続完了後のインターロック装置の状態を示し、（ａ）はその平面図、（ｂ）はその正面図である。
図２の状態から、スライド板５０の操作ガード片５３を左方に押すことを解除すると、スライド板５０はバネ６２に引かれて右方にスライドするが、接続プラグ４０が接続プラグ１１に接続されているので、スライド板５０の当接部５２の先端が接続プラグ４０の側部に当接して、それ以上の右方へのスライドは妨げられ、スライド板５０は接続固定位置で停止する。
また、回転板７０の当接部７１の下方に押し下げることを解除する、回転板７０はバネ８２に引かれて時計方向へ回転するが、当接部７１が当接部５６と当接して回転基準位置に停止する。
【００１５】
その結果、図３に示すように制御回路の接続プラグ４０の電磁接触器本体１０への接続、すなわち電磁接触器を操作するための制御回路と、電磁接触器の主回路接点に連動して動く補助接点などとの接続が完了した状態となる。
この状態では、電磁接触器本体１０の挿入を妨げていた、図１でのスライド板５０の当接部５５と固定枠２０の切欠部２１との当接、又は図２での回転板７０の当接部７２と固定枠２０の切欠部２１との当接は解除されているため、電磁接触器本体１０の挿入が可能となっており、図３（ａ）では、図１及び図２の位置から矢印（Ａ）の方向に押し込まれた状態となっている。
【００１６】
一方、スライド板５０の当接部５２が接続プラグ４０の側部に当接した状態では、操作ガード片５３がロック解除ボタン４１を押せないように覆っている。したがって、このスライド板５０が接続固定位置にある状態では、制御回路の接続プラグ４０の電磁接触器本体１０からの引き外しが妨げられている。
このスライド板５０による制御回路の接続プラグ４０の引き外しの妨げを解除するためには、回転板７０の当接部７１を押し下げてスライド板５０の当接部５６との当接を解除して、スライド板５０を左方にスライドする必要がある。しかし、図３のように電磁接触器本体１０を矢印（Ａ）の接続方向に挿入した状態では、当接部７１とは逆の端にある当接部７２が固定枠２０の当接部２２に当接することで、回転板７０の反時計方向への回転が妨げられるので、当接部７１の押し下げが妨げられており、結局、スライド板５０の左方へのスライドは妨げられるように構成されている。
これにより、電磁接触器本体１０が挿入された状態では、制御回路の接続プラグ４０の電磁接触器本体１０からの引き外しが抑止される。
【００１７】
この実施の形態１では、固定枠２０の当接部２２を設ける範囲を、電磁接触器本体１０を接続方向に挿入した位置からとして、その範囲で接続プラグ４０の電磁接触器本体１０からの引き外しを妨げるように構成したが、この当接部２２を設ける位置を、試験位置や運転位置等にあわせることで、試験位置及び運転位置で接続プラグ４０の電磁接触器本体１０からの引き外しを妨げたり、又は運転位置でのみ接続プラグ４０の電磁接触器本体１０からの引き外しを妨げたりするように構成することも可能である。
また、この実施の形態１は、引出形電磁接触器について説明したが、引出形遮断器などの、他の開閉機器のインターロック機構にも適用可能である。
【００１８】
実施の形態２．
実施の形態１では、スライド板５０及び回転板７０はすべて板の形状であったが、板形状でなく棒状の形状を含んだ場合でも同一機能を有することが可能であり、インターロックがかけられる形状であればどのような形状であっても同様の効果を有する。
【図面の簡単な説明】
【００１９】
【図１】この発明に係るインターロック装置の実施形態１の移動部材が移動基準位置にある状態を示す平面図及び正面図である。
【図２】この発明に係るインターロック装置の実施形態１の移動部材が開口位置にある状態を示す平面図及び正面図である。
【図３】この発明に係るインターロック装置の実施形態１の移動部材が接続固定位置にある状態を示す平面図及び正面図である。
【符号の説明】
【００２０】
１０    開閉機器本体である電磁接触器本体
２０    開閉機器本体の固定枠
４０    制御回路の接続プラグ
５０    移動部材であるスライド板
６２    第１の弾性体であるバネ
７０    回転部材である回転板
８２    第２の弾性体であるバネ
【図１】
2006079839.tif 000003
【図２】
2006079839.tif 000004
【図３】
2006079839.tif 000005